(57)【特許請求の範囲】
【請求項１】
調査対象芝草生育土壌を１〜５ミリメートル目合いのざるに置設し、扇状吐出ノズルが先端、液体流量計が中央、水道ホースとの装着部が後方に編成され、連接されてなる芝草根圏水洗調査器によって、水流を扇状でかつ偏平な形で土壌に当てることにより水洗することを特徴とする芝草根圏の水洗調査方法。
【請求項２】
調査対象芝草生育土壌を１〜５ミリメートル目合いのざるに置設し、扇状吐出ノズルが先端、１〜１０リットル／分の流量を計ることができる液体流量計が中央、水道ホースとの装着部が後方に編成され、連接されてなる芝草根圏水洗調査器によって、水流を扇状でかつ偏平な形で土壌に当てることにより水洗することを特徴とする芝草根圏の水洗調査方法。
【請求項３】
水流の流量が、７リットル／分である請求項１又は２記載の芝草根圏の水洗調査方法。
【発明の詳細な説明】
【０００１】
【発明が属する技術分野】
本発明は、芝草根圏を調査するための水洗調査器およびその水洗方法に関するものである。
【０００２】
【従来の技術】
芝草の良好な生育の維持管理のためには、土壌内部の土壌構造や根系状況や、未分解有機物の集積状況等がどうなっているのかを知ることが正確な判断ができ、的確な対応をとれることにつながる。
そのために芝草管理者は土壌を抜取り、水道の蛇口でそのまま、あるいは板の上に載せて水洗していた。
【０００３】
【発明が解決しようとする課題】
ところが、この方法では、▲１▼存在しているそのままの形で洗い出すことができない、▲２▼時期的に根の衰退期には古く弱い根が多く流れてしまう、▲３▼水圧・水流も弱くせざるを得ない、▲４▼水流によって板の上で根がのびてしまう、▲５▼未分解有機物の集積状態が正確に把握できない、▲６▼作業的に体が前かがみになるので腰を痛めてしまう、▲７▼作業時間がかかる等の問題点があった。
【０００４】
また、芝草管理技術の向上のためには芝草管理者が連携し、各々の管理方法、気象条件、土壌条件などによる芝草生育の違いなどを共同して研究することが大切なことであるが、水洗調査方法の個人差をなくし、誰でも簡単に同じようにでき、「ものさし」となる方法の開発が望まれていた。
【０００５】
【課題を解決するための手段】
前記課題を解決するために、扇状吐出ノズルを先端、液体流量計を中央、水道ホースとの装着部を後方に編成して連接することを特徴とする芝草根圏水洗調査器とし、また、調査対象芝草生育土壌を１〜５ミリメートル目合いのざるに置設し、前記芝草根圏水洗調査器によって水洗することを特徴とする芝草根圏の水洗調査方法とする。
【０００６】
【発明の実施の形態】
水洗調査方法に個人差があるのは、一つ目には水量の設定、水の吐出方法など水の出し方の違いであり、二つ目には土壌の積載部が、強い新根も弱い老化根もそのままの形で残せる方法ではないことである。
【０００７】
本発明の実施に当っては、水の出し方を一定化させるために特許請求の範囲請求項１に記載の構造の芝草根圏水洗調査器とし、土壌内部の新根、老化根をそのままの形で残すために、土壌の積載部が請求項２に記載の１〜５ミリメートル目合いのざるとし、両者の組み合わせで水洗する方法とすることによって、課題の解決を実現した。
なお、ざるの目合いは種々の目合いの大きさで検討したところ、芝草の目土に利用される砂の粒径が２ミリメートル以下の粒子の場合が多く、１ミリメートル以下ではかなりの砂がざる上に残ること、また５ミリメートル以上では古く弱い根や未分解有機物の細かいものがざるの目から下へ逃げてしまうことから、１ミリメートル以上５ミリメートル以内の目合いが芝草根圏の洗い出しのためには適していた。また、その範囲のアミ目であれば根や未分解有機物が保持されて、動かなくなるために、流れ去ったり、切れたり、のびたりせずにそのままの形でざるのアミ目上に残すことが可能である。
【０００８】
また、水の吐出法については、土壌に対してバラバラの圧力を加えてしまっては正確な水洗法とはならないために、種々検討した結果、水流を扇状でかつ偏平の形で土壌に当てることが平均的圧力を加えられ、きれいに洗えることを明らかにした。
【０００９】
【実施例】
図１は特許請求の範囲請求項１記載の本発明調査器の実施例の構成図であり、１は扇状吐出ノズルであり扇状吐出の一定化をする役目をする。材質は錆が発生しない種類の金属が好ましい。２は液体流量計であり、水圧を一定にする役目をする。芝土壌を水洗する場合、１〜１０リットル／分の流量を計ることができる液体流量計が好ましい。３は水道ホースとの装着部であり、材質は錆が発生しない種類の金属が好ましく、使用する水道ホースの口内径に合わせて、径を変えて使用することが好ましい。この１、２、３の順の編成で螺着などの方法で連接する。
【００１０】
本発明調査器の水洗方法は図２の使用概略図のとおりであり、使用方法を順を追って述べると、▲１▼土壌抜取り器で抜取った土壌を載せた１〜５ミリメートル目合いのざる７を、身の回りにあるものを利用した台１０を用いて、傾斜させて置設する。ざる７の目合いは芝土壌の水洗の場合２ミリメートルが好ましい。またその材質は錆が発生しない種類の金属が好ましい。▲２▼水道栓につないだホース４と本発明水洗調査器６をつなげる。▲３▼水道栓を開けながら、液体流量計２を所定の流量に設定する。好ましくは、土壌を洗い落とせ、集積した未分解有機物が残り、根系もありのまま出せる流量である７リットル／分の流量に設定する。▲４▼抜取り土壌８に対し、垂直に水流９を当てるようにし、抜取土壌８の下の方から水洗してゆく。▲５▼所定流量でこれ以上くずれない時点まで、抜取土壌８の全体を水洗する。
【００１１】
このような方法で水洗してゆくと、芝草土壌の水洗が個人差がなく、誰でも簡単に同じように正確に行うことができる。
【００１２】
図２は本発明調査器に弁５を連接させて、人１１の手元で、水流を止めたり、開放したりすることを可能とする実施例を示す構成図である。
【００１３】
【発明の効果】
以上説明したように本発明の芝草根圏水洗調査器およびその水洗方法は水量の設定、水の吐出方法を一定化でき、また芝草の根系や未分解有機物の集積状況等が土壌内部に存在しているあるがままの自然で正確な姿でとらえることができるので、誰でも簡単に同じように芝草根圏の状態を調査できる。従って、場所が違っても同じ条件での水洗調査ができるので、各々の管理方法、気象条件、土壌条件などの違いによる芝草生育や土壌内部状況を明らかにすることが可能になる。
【００１４】
また、コース内および年間の実態把握や、更新・施肥作業の効果確認や方針の決定、生育障害時の土壌内部調査、試験のデータ作成などにも本発明の芝草根圏水洗調査器およびその水洗方法は応用できる。
【図面の簡単な説明】
【図１】芝草根圏水洗調査器の実施例を示す構成図である。
【図２】芝草根圏水洗調査器の水洗方法を示す使用概略図である。
【図３】芝草根圏水洗調査器に弁を連接させて、手元で水流の開放、停止を行うことを可能とする実施例を示す構成図である。
【符号の説明】
１    扇状吐出ノズル
２    液体流量計
３    水道ホースとの装着部
４    水道ホース
５    弁
６    本発明水洗調査器
７    ざる
８    抜取り土壌
９    水流
１０  ざるを傾斜させるための台
１１  人
【図１】
0005055465.tif 000002
【図２】
0005055465.tif 000003
【図３】
0005055465.tif 000004